Podtech/llm-jp-corpus-v4-ja_patent huggingface dataset:
【手続補正書】
【提出日】令和1年5月15日(2019.5.15)
【手続補正１】
【補正対象書類名】特許請求の範囲
【補正対象項目名】全文
【補正方法】変更
【補正の内容】
【特許請求の範囲】
【請求項１】
液体材料を貯留する貯留容器と、
貯留容器を加圧する圧縮気体供給源と、
吐出流路を有するノズルと、
往復動作するバルブロッドと、
バルブロッドを駆動するアクチュエータと、
吐出流路と連通する連通孔を有する弁座と、
アクチュエータを制御してバルブロッドの下端で連通孔を開閉する吐出制御装置と、
を備え、負圧空間内で使用される液体材料吐出装置であって、
前記バルブロッドの下端に配置された樹脂膜、または、弁座の上面に配置され、前記連通孔と連通する貫通孔を有する樹脂膜を備え、
前記弁座が、機械的に固定される平らな上面を有するバルブシート部材により構成され、交換可能であること、
前記樹脂膜が、機械的に固定されており、交換可能であることを特徴とする液体材料吐出装置。
【請求項２】
前記バルブシート部材が前記バルブロッドの押圧により変形が生じない材質により構成されることを特徴とする請求項１に記載の液体材料吐出装置。
【請求項３】
前記樹脂膜が、１０〜１０００μｍの厚みを有することを特徴とする請求項１または２に記載の液体材料吐出装置。
【請求項４】
前記バルブロッドの下端または前記バルブシート部材の上面が、前記樹脂膜と面接触することを特徴とする請求項１ないし３のいずれかに記載の液体材料吐出装置。
【請求項５】
前記バルブロッドの下端が平面であり、前記バルブシート部材の上面が平面であることを特徴とする請求項４に記載の液体材料吐出装置。
【請求項６】
前記樹脂膜が、エンジニアリングプラスチックにより構成されることを特徴とする請求項１ないし５のいずれかに記載の液体材料吐出装置。
【請求項７】
前記バルブロッドの下端および前記バルブシート部材が、金属により構成されることを特徴とする請求項６に記載の液体材料吐出装置。
【請求項８】
前記ノズルが、前記貯留容器の下端部が挿着される凹部を有するノズル取付部材により構成されており、ノズル取付部材の凹部に取り付けられたバルブシート部材が前記貯留容器の先端により機械的に固定されており、
前記バルブロッドの下端が円柱状であり、キャップ状または凹状の前記樹脂膜で覆われていることを特徴とする請求項７に記載の液体材料吐出装置。
【請求項９】
前記ノズルが、前記貯留容器の下端部が挿着される凹部を有するノズル取付部材により構成されており、ノズル取付部材の凹部に取り付けられたバルブシート部材と前記貯留容器の先端とにより前記樹脂膜が機械的に固定されることを特徴とする請求項１ないし７のいずれかに記載の液体材料吐出装置。
【請求項１０】
前記樹脂膜の厚さが、前記バルブシート部材の厚さの１／１０以下であることを特徴とする請求項８に記載の液体材料吐出装置。
【請求項１１】
前記吐出制御装置が、前記アクチュエータによるバルブロッドの上昇時の加速時間Ａｕを２〜３００［ｍｓ」の範囲で制御することを特徴とする請求項１ないし１０のいずれかに記載の液体材料吐出装置。
【請求項１２】
前記吐出制御装置が、前記アクチュエータによるバルブロッドの上昇時の目標速度Ｖ１を０．２〜３０［ｍｍ／ｓ］の範囲で制御すること、および／または、前記アクチュエータによるバルブロッドの下降時の加速時間Ａｄを２〜３００［ｍｓ」の範囲で制御することを特徴とする請求項１１に記載の液体材料吐出装置。
【請求項１３】
前記バルブロッドがスライド部材を介してアクチュエータと接続されており、
前記スライド部材が所定の位置にあることを検出するセンサ機構を備え、前記スライド部材の位置を検出することにより前記バルブロッドの下端が前記弁座に当接する位置にあることを検知する位置検知機構を備えることを特徴とする請求項１ないし１２のいずれかに記載の液体材料吐出装置。
【請求項１４】
前記バルブロッドと接続され、スライド部材に離間可能に当接して配置されるロッド連動部材と、
ロッド連動部材とスライド部材とを離間可能に当接させる付勢力を与える弾性部材と、を備え、
前記バルブロッドが前記弁座に当接した後、前記アクチュエータにより前記バルブロッドをさらに進出させる力を作用させると前記スライド部材が前記ロッド連動部材と離間して下方に移動し、当該スライド部材の移動をセンサ機構が検知することにより前記バルブロッドの下端が前記弁座に当接する位置にあることを検知することを特徴とする請求項１３に記載の液体材料吐出装置。
【請求項１５】
請求項１ないし１４のいずれかに記載の液体材料吐出装置と、
ワークが設置されるワークテーブルと、
前記液体材料吐出装置と前記ワークテーブルとを相対的に移動する相対駆動装置と、
前記液体材料吐出装置、前記ワークテーブルと、前記相対駆動装置とが配置される負圧空間を構成するカバーと、
前記カバー内を負圧にする減圧装置と、
前記相対駆動装置を制御する駆動制御装置と、を備える塗布装置。
【請求項１６】
前記減圧装置が、真空ポンプであることを特徴とする請求項１５に記載の塗布装置。
【請求項１７】
請求項１４または１５に記載の塗布装置を用いた塗布方法であって、前記減圧装置により前記カバー内を負圧とした状態で前記ワークと前記液体材料吐出装置とを相対移動しながら、ワーク上に液体材料を塗布する塗布方法。
【請求項１８】
前記カバー内が実質的に真空であることを特徴とする請求項１７に記載の塗布方法。
【手続補正書】
【提出日】平成30年12月28日(2018.12.28)
【手続補正１】
【補正対象書類名】特許請求の範囲
【補正対象項目名】全文
【補正方法】変更
【補正の内容】
【特許請求の範囲】
【請求項１】
遊技球が流下可能な遊技領域と、
前記遊技領域を流下する遊技球が入球可能な入賞口と、
所定の実行条件の成立により、遊技者に有利な遊技利益を付与可能な特別遊技を実行する特別遊技実行手段と、
前記特別遊技中に実行される演出を制御可能な制御手段と、を備え、
前記特別遊技中に実行される演出として、前記特別遊技中に開始され得る特定期間において視認可能に実行される第１演出と、前記第１演出と異なる演出であって前記入賞口への遊技球の入球に基づく所定条件が成立すると聴認可能に特定音声を出力する第２演出と、を少なくとも備えた遊技機であって、
前記制御手段は、
前記特定期間において前記第２演出における前記特定音声を聴認不能に制御可能であることを特徴とする遊技機。
【手続補正２】
【補正対象書類名】明細書
【補正対象項目名】０００７
【補正方法】変更
【補正の内容】
【０００７】
（１）本発明は、遊技球が流下可能な遊技領域と、前記遊技領域を流下する遊技球が入球可能な入賞口と、所定の実行条件の成立により、遊技者に有利な遊技利益を付与可能な特別遊技を実行する特別遊技実行手段（メインＣＰＵ１０１）と、前記特別遊技中に実行される演出を制御可能な制御手段（サブＣＰＵ３０１）と、を備え、前記特別遊技中に実行される演出として、前記特別遊技中に開始され得る特定期間（特別遊技が開始されてから１１秒間、特別遊技が開始されてから８０秒間、３ラウンド目のラウンド遊技が開始時から２秒間）において視認可能に実行される第１演出（特別動画の表示、上乗せ報知演出）と、前記第１演出と異なる演出であって前記入賞口への遊技球の入球に基づく所定条件が成立すると聴認可能に特定音声を出力する第２演出（通常入賞音の出力、特殊入賞音の出力）と、を少なくとも備えた遊技機（パチンコ機Ｐ）であって、前記制御手段は、前記特定期間において前記第２演出における前記特定音声を聴認不能に制御可能であることを特徴とする。
ここで、所定の実行条件の成立とは、所定の抽選手段により特別遊技の実行が決定されたこと、遊技球が流下可能な遊技領域に設けられた特別領域に遊技球が進入したこと等が挙げられる。
【手続補正３】
【補正対象書類名】明細書
【補正対象項目名】０００８
【補正方法】変更
【補正の内容】
【０００８】
本発明に係る遊技機においては、特別遊技中において第１演出が実行される特定期間においては、演出実行条件が成立したとしても第２演出の実行が制限されるようになっている。したがって、本発明に係る遊技機によれば、特別遊技中において第１演出が実行される場合には、遊技者の意識を第１演出に集中させることができ、遊技者の興趣を高めることができるのである。
【手続補正４】
【補正対象書類名】明細書
【補正対象項目名】０００９
【補正方法】削除
【補正の内容】
【手続補正書】
【提出日】令和1年5月16日(2019.5.16)
【手続補正１】
【補正対象書類名】特許請求の範囲
【補正対象項目名】全文
【補正方法】変更
【補正の内容】
【特許請求の範囲】
【請求項１】
特定役を含む役の抽選を行う抽選手段と、
遊技媒体を払い出す払出手段と、
前記抽選手段による抽選結果が前記特定役の当選である場合には、その当選後に遊技者に有利な特典を付与する有利特典付与手段と、を備えている遊技機であって、
前記払出手段により払い出された遊技媒体の数をカウントする払出カウント手段と、
前記払出カウント手段によってカウントされた遊技媒体の数に基づいて、所定の期間中に払い出された遊技媒体の総数に相当する期間総数を算出可能な算出手段と、
前記算出手段によって算出された前記期間総数が所定の閾値を超えているかどうかを判定する判定手段と、を備え、
前記判定手段によって前記期間総数が前記所定の閾値を超えているとの超過判定がなされた場合には、その超過判定がなされる前よりも前記特定役の当選による有利な特典が付与され難くなるときがあることを特徴とする遊技機。
【請求項２】
請求項１に記載の遊技機であって、
前記抽選手段は、
前記判定手段によって前記超過判定がなされた場合には、その超過判定がなされる前よりも前記特定役の当選確率を小さい確率にして抽選を行うときがあることを特徴とする遊技機。
【手続補正２】
【補正対象書類名】明細書
【補正対象項目名】０００７
【補正方法】変更
【補正の内容】
【０００７】
本発明の遊技機は、
特定役を含む役の抽選を行う抽選手段と、
遊技媒体を払い出す払出手段と、
前記抽選手段による抽選結果が前記特定役の当選である場合には、その当選後に遊技者に有利な特典を付与する有利特典付与手段と、を備えている遊技機であって、
前記払出手段により払い出された遊技媒体の数をカウントする払出カウント手段と、
前記払出カウント手段によってカウントされた遊技媒体の数に基づいて、所定の期間中に払い出された遊技媒体の総数に相当する期間総数を算出可能な算出手段と、
前記算出手段によって算出された前記期間総数が所定の閾値を超えているかどうかを判定する判定手段と、を備え、
前記判定手段によって前記期間総数が前記所定の閾値を超えているとの超過判定がなされた場合には、その超過判定がなされる前よりも前記特定役の当選による有利な特典が付与され難くなるときがあることを特徴とする。
【手続補正書】
【提出日】令和1年6月22日(2019.6.22)
【手続補正１】
【補正対象書類名】特許請求の範囲
【補正対象項目名】全文
【補正方法】変更
【補正の内容】
【特許請求の範囲】
【請求項１】
遊技球を検出可能な検出部と、該検出部により遊技球が検出されたことに基づいて、遊技球を検出した前記検出部に応じた特典を付与する特典付与手段と、を備えた遊技機であって、
前記検出部として設けられ、図柄の変動表示が実行される始動条件を成立させる第１の始動検出部と、
所定の振分用入口に進入した遊技球を第１の振り分け先に出力可能な第１の姿勢と、該第１の姿勢とは異なる姿勢であって前記振分用入口に進入した遊技球を前記第１の振り分け先とは異なる第２の振り分け先に出力可能な第２の姿勢をとることが可能に構成された振分部材と、
該振分部材の下流側に設けられて、前記第１の始動検出部まで延びる第１球通路と、
前記第１球通路における前記第１の始動検出部より上流側にて前記第１球通路から分岐し、前記第１の始動検出部とは別の領域に遊技球を誘導可能な分岐通路と、
前記振分部材によって前記第１の振り分け先に遊技球が振り分けられた場合に、所定の姿勢をとり、所定の動作口へ遊技球が進入することを条件にして、前記所定の姿勢をとる前の元の姿勢に復帰する動作を行う作動部と、
前記振分用入口に進入して前記第１の振り分け先に振り分けられる遊技球の自重によって前記作動部を、前記元の姿勢から前記所定の姿勢へと動作させるリンク機構とを備え、
前記第１の振り分け先に遊技球が出力された場合と、前記第２の振り分け先に遊技球が出力された場合とにおいて、異なる図柄の変動表示が実行される始動条件が成立されるように構成されていることを特徴とする遊技機。
【請求項２】
前記遊技機は、パチンコ遊技機であることを特徴とする請求項１に記載の遊技機。
【手続補正２】
【補正対象書類名】明細書
【補正対象項目名】０００８
【補正方法】変更
【補正の内容】
【０００８】
本発明に係る遊技機は、上記の課題を解決するために、
遊技球を検出可能な検出部と、該検出部により遊技球が検出されたことに基づいて、遊技球を検出した前記検出部に応じた特典を付与する特典付与手段と、を備えた遊技機であって、
前記検出部として設けられ、図柄の変動表示が実行される始動条件を成立させる第１の始動検出部と、
所定の振分用入口に進入した遊技球を第１の振り分け先に出力可能な第１の姿勢と、該第１の姿勢とは異なる姿勢であって前記振分用入口に進入した遊技球を前記第１の振り分け先とは異なる第２の振り分け先に出力可能な第２の姿勢をとることが可能に構成された振分部材と、
該振分部材の下流側に設けられて、前記第１の始動検出部まで延びる第１球通路と、
前記第１球通路における前記第１の始動検出部より上流側にて前記第１球通路から分岐し、前記第１の始動検出部とは別の領域に遊技球を誘導可能な分岐通路と、
前記振分部材によって前記第１の振り分け先に遊技球が振り分けられた場合に、所定の姿勢をとり、所定の動作口へ遊技球が進入することを条件にして、前記所定の姿勢をとる前の元の姿勢に復帰する動作を行う作動部と、
前記振分用入口に進入して前記第１の振り分け先に振り分けられる遊技球の自重によって前記作動部を、前記元の姿勢から前記所定の姿勢へと動作させるリンク機構とを備え、
前記第１の振り分け先に遊技球が出力された場合と、前記第２の振り分け先に遊技球が出力された場合とにおいて、異なる図柄の変動表示が実行される始動条件が成立されるように構成されていることを特徴としている。
【手続補正書】
【提出日】令和1年5月16日(2019.5.16)
【手続補正１】
【補正対象書類名】特許請求の範囲
【補正対象項目名】全文
【補正方法】変更
【補正の内容】
【特許請求の範囲】
【請求項１】
辺と、前記辺の近傍に、前記辺に沿って配設された複数の端子と、を備える面であって、前記辺の一端に位置する第１の頂点における角度が、前記辺の他端に位置する第２の頂点における角度よりも小さい面と、前記端子に電気的に接続され、記録を行うための複数の記録素子と、前記複数の記録素子に対応する液体を吐出するための複数の吐出口が配設された吐出口列と、を有する記録素子基板において、
前記第１の頂点と前記複数の端子のうちの前記第１の頂点の最も近くに配設された第１の端子との距離は、前記第２の頂点と前記複数の端子のうちの前記第２の頂点の最も近くに配設された第２の端子との距離よりも大きく、
平面視した際に、前記第１の端子および前記第２の端子は、前記吐出口列の配設方向において前記吐出口列の端部に位置する前記吐出口よりも前記吐出口列の内側に位置することを特徴とする記録素子基板。
【請求項２】
前記吐出口列は前記面の側に設けられている、請求項１に記載の記録素子基板。
【請求項３】
前記第１の頂点における角度は９０°未満である、請求項１または請求項２に記載の記録素子基板。
【請求項４】
前記第２の頂点における角度は９０°よりも大きい、請求項１または請求項３に記載の記録素子基板。
【請求項５】
前記面の形状は平行四辺形である、請求項１乃至請求項４のいずれか一項に記載の記録素子基板。
【請求項６】
前記第１の端子は、前記面の前記第２の頂点の対角に位置する第３の頂点を通る仮想線であって、前記辺に直交する前記仮想線よりも、前記第２の頂点の側に位置する、請求項５に記載の記録素子基板。
【請求項７】
前記面は、前記辺に対向する辺の近傍に、前記対向する辺に沿って配設された、前記複数の端子とは別の複数の端子と、前記第２の頂点の対角に位置する第３の頂点と、前記第１の頂点の対角に位置する第４の頂点と、を備え、
前記第４の頂点と前記別の複数の端子のうちの前記第４の頂点の最も近くに配設された第４の端子との距離は、前記第３の頂点と前記別の複数の端子のうちの前記第３の頂点の最も近くに配設された第３の端子との距離よりも大きい、請求項５または請求項６に記載の記録素子基板。
【請求項８】
前記複数の端子が配設された領域と、前記別の複数の端子が配設された別の領域とは、前記面の重心を中心とした点対称の位置にある、請求項７に記載の記録素子基板。
【請求項９】
前記記録素子は発熱素子である、請求項１乃至請求項８のいずれか１項に記載の記録素子基板。
【請求項１０】
請求項１乃至請求項９のいずれか一項に記載の記録素子基板と、
前記端子に電気的に接続される配線を備える配線基板と、
を有する液体吐出ヘッド。
【請求項１１】
前記端子と前記配線とは、ワイヤーボンディングにより電気的に接続される、請求項１０に記載の液体吐出ヘッド。
【請求項１２】
請求項７または請求項８に記載の記録素子基板と、
前記端子に電気的に接続される第１の配線を備える第１の配線基板と、
前記別の端子に電気的に接続される第２の配線を備える第２の配線基板と、
を有する液体吐出ヘッド。
【請求項１３】
前記複数の端子を覆う封止材と、前記別の複数の端子を覆う封止材と、を有する、請求項１２に記載の液体吐出ヘッド。
【請求項１４】
前記記録素子基板は前記記録素子を内部に備える圧力室を備え、
前記記録素子は液体を吐出するために利用されるエネルギーを発生し、
前記圧力室内の液体は当該圧力室の外部との間で循環される、請求項１０乃至請求項１３のいずれか一項に記載の液体吐出ヘッド。
【請求項１５】
請求項１０乃至請求項１４のいずれか一項に記載の液体吐出ヘッドを用いて液体を吐出する液体吐出装置。
【手続補正２】
【補正対象書類名】明細書
【補正対象項目名】０００７
【補正方法】変更
【補正の内容】
【０００７】
本発明の記録素子基板は、辺と、前記辺の近傍に、前記辺に沿って配設された複数の端子と、を備える面であって、前記辺の一端に位置する第１の頂点における角度が、前記辺の他端に位置する第２の頂点における角度よりも小さい面と、前記端子に電気的に接続され、記録を行うための複数の記録素子と、前記複数の記録素子に対応する液体を吐出するための複数の吐出口が配設された吐出口列と、を有する記録素子基板において、前記第１の頂点と前記複数の端子のうちの前記第１の頂点の最も近くに配設された第１の端子との距離は、前記第２の頂点と前記複数の端子のうちの前記第２の頂点の最も近くに配設された第２の端子との距離よりも大きく、平面視した際に、前記第１の端子および前記第２の端子は、前記吐出口列の配設方向において前記吐出口列の端部に位置する前記吐出口よりも前記吐出口列の内側に位置することを特徴とする。
【手続補正書】
【提出日】令和1年5月13日(2019.5.13)
【手続補正１】
【補正対象書類名】特許請求の範囲
【補正対象項目名】全文
【補正方法】変更
【補正の内容】
【特許請求の範囲】
【請求項１】
印刷ジョブを受信する受信手段と、
前記受信手段により受信した第１印刷ジョブの設定と、前記第１印刷ジョブの前に実行される第２印刷ジョブの設定に基づいて、搬送機構に差異があるか判定する判定手段と、
前記判定手段により搬送機構に差異があると判定された場合、画像読取部による読み取りの結果に基づいて検品処理を実行する実行手段と、
を有することを特徴とする制御装置。
【請求項２】
前記検品処理は、前記第１印刷ジョブに基づき印刷される画像の検品をする処理であることを特徴とする請求項１に記載の制御装置。
【請求項３】
前記検品処理は、検品用の検品ジョブに基づき印刷される画像の検品をする処理であることを特徴とする請求項１に記載の制御装置。
【請求項４】
前記判定手段は、さらに、前記第１印刷ジョブと前記第２印刷ジョブとで画像に影響を及ぼす印刷設定に差異があるか判定し、
前記実行手段は、さらに、前記判定手段により画像に影響を及ぼす印刷設定に差異があると判定された場合、検品処理を実行することを特徴とする請求項１ないし３のいずれか１項に記載の制御装置。
【請求項５】
前記第２印刷ジョブの設定を保持する第１記憶部と、
搬送機構に影響する設定項目を保持する第２記憶部と、
を有し、
前記判定手段は、前記受信手段により受信した前記第１印刷ジョブの設定と前記第１記憶部から取得した前記第２印刷ジョブの設定とのうち、差異がある設定項目が前記第２記憶部から取得した搬送機構に影響する設定項目に該当する場合、搬送機構に差異があると判定することを特徴とする請求項１ないし４のいずれか１項に記載の制御装置。
【請求項６】
前記実行手段は、所定の周期での検品処理をさらに行うことを特徴とする請求項１ないし４のいずれか１項に記載の制御装置。
【請求項７】
画像を印刷する印刷部をさらに有することを特徴とする請求項１ないし６のいずれか１項に記載の制御装置。
【請求項８】
印刷ジョブを受信する受信工程と、
前記受信工程において受信した第１印刷ジョブの設定と、前記第１印刷ジョブの前に実行される第２印刷ジョブの設定に基づいて、搬送機構に差異があるか判定する判定工程と、
前記判定工程において搬送機構に差異があると判定された場合、画像読取部による読み取りの結果に基づいて検品処理を実行する実行工程と、
を有することを特徴とする検品方法。
【手続補正２】
【補正対象書類名】明細書
【補正対象項目名】発明の名称
【補正方法】変更
【補正の内容】
【発明の名称】制御装置および検品方法
【手続補正３】
【補正対象書類名】明細書
【補正対象項目名】０００１
【補正方法】変更
【補正の内容】
【０００１】
本発明は、制御装置および当該制御装置が行う検査方法に関する。
【手続補正４】
【補正対象書類名】明細書
【補正対象項目名】０００７
【補正方法】変更
【補正の内容】
【０００７】
本発明は上記問題点を解消するためになされたものである。よってその目的とするところは、多様な印刷ジョブに応じて様々な印刷物を連続して出力する状況において、効率的な検品処理を行うことにより、信頼性の高い画像出力を安定して行うことが可能な制御装置および検品方法を提供することである。
【手続補正書】
【提出日】令和1年5月27日(2019.5.27)
【手続補正１】
【補正対象書類名】特許請求の範囲
【補正対象項目名】全文
【補正方法】変更
【補正の内容】
【特許請求の範囲】
【請求項１】
基板と、
前記基板の上に並設されて素子列を形成する複数のエネルギー発生素子と、
前記素子列に沿って並設されて開口列を形成し、前記エネルギー発生素子に液体を流れさせる複数の開口と、
前記複数の開口から前記基板の厚み方向に延びる複数の流路と、
を有する記録素子基板において、
前記開口列の方向において隣接する前記流路に挟まれた梁部のそれぞれは、前記エネルギー発生素子に接続された電源配線を含む配線層と、前記エネルギー発生素子に接続されたグランド配線を含む配線層とが、前記基板の厚み方向に積層された複数の配線層を有し、
前記複数の配線層のうちの少なくとも１つの前記配線層は、１つの前記電源配線または１つの前記グランド配線で占有され、
前記梁部のそれぞれが有する前記電源配線と電気的に接続され、前記素子列に対して共通に電気的に接続される第１の電極パッドと、前記梁部のそれぞれが有する前記グランド配線と電気的に接続され、前記素子列に対して共通に電気的に接続される第２の電極パッドと、を有することを特徴とする、記録素子基板。
【請求項２】
前記記録素子基板は、前記開口列に沿い、前記開口列の一方の側に設けられた第１の素子列と、前記開口列に沿い、前記開口列の他方の側に設けられた第２の素子列と、を有し、
前記梁部の前記複数の配線層に含まれる前記電源配線および前記グランド配線は、前記第１の素子列を形成する前記エネルギー発生素子および前記第２の素子列を形成する前記エネルギー発生素子に接続されている、請求項１に記載の記録素子基板。
【請求項３】
前記開口列に含まれる前記開口は、前記第１の素子列に含まれる前記エネルギー発生素子と、前記第２の素子列に含まれる前記エネルギー発生素子と、に液体を流れさせる、請求項２に記載の記録素子基板。
【請求項４】
前記梁部の前記複数の配線層に含まれる前記電源配線および前記グランド配線には、同時に駆動される複数の前記エネルギー発生素子に供給される電流の少なくとも一部が流れる、請求項１から３のいずれか１項に記載の記録素子基板。
【請求項５】
複数の前記エネルギー発生素子に対して１つの前記流路が設けられる、請求項１から４のいずれか１項に記載の記録素子基板。
【請求項６】
前記素子列の方向において隣接するエネルギー発生素子の間隔は、前記開口列の方向において隣接する開口の間隔よりも小さい、請求項１から５のいずれか１項に記載の記録素子基板。
【請求項７】
前記開口列は、前記エネルギー発生素子に液体を供給する供給口列であり、
前記素子列に沿って並設されて回収口列を形成し、前記流路から流れた液体の一部を回収する複数の回収口と、
前記複数の回収口から前記基板の厚み方向に延びる複数の回収路と、をさらに備え、
前記供給口列および前記回収口列は、対応する前記素子列を挟んで両側に配置される、請求項１から６のいずれか１項に記載の記録素子基板。
【請求項８】
前記梁部において、前記１つの電源配線に占有された前記配線層と、前記１つのグランド配線に占有された前記配線層と、が前記厚み方向に積層されている、請求項１から７のいずれか１項に記載の記録素子基板。
【請求項９】
前記１つの電源配線または前記１つのグランド配線で占有された前記配線層の幅は、前記梁部の幅の１/２以上である、請求項１から８のいずれか１項に記載の記録素子基板。
【請求項１０】
前記素子列は、第１の素子列と第２の素子列と、を含み、
前記開口列は、前記第１の素子列に対応する第１の開口列と、前記第２の素子列に対応する第２の開口列と、を含み、
前記梁部のそれぞれが有する前記電源配線と電気的に接続され、前記第１の素子列と前記第２の素子列に共通に電気的に接続される共通電源配線層と、前記梁部のそれぞれが有する前記グランド配線と電気的に接続され、前記第１の素子列と前記第２の素子列とに共通に電気的に接続される共通グランド配線層と、が、前記第１の開口列と前記第２の開口列との間において、前記基板の厚み方向に積層されている、請求項１に記載の記録素子基板。
【請求項１１】
前記素子列の方向において、前記共通電源配線層および前記共通グランド配線層は、前記素子列よりも長さが長い、請求項１０に記載の記録素子基板。
【請求項１２】
複数の前記第１の電極パッドと、複数の前記第２の電極パッドとが、前記素子列の方向に沿う前記基板の一辺に沿って設けられている、請求項１から１１のいずれか１項に記載の記録素子基板。
【請求項１３】
前記一辺と当該一辺と隣り合う辺とは直交しない、請求項１２に記載の記録素子基板。
【請求項１４】
前記基板は、平行四辺形状である、請求項１３に記載の記録素子基板。
【請求項１５】
前記基板は、台形形状である、請求項１３に記載の記録素子基板。
【請求項１６】
請求項１から１５のいずれか１項に記載の複数の記録素子基板が前記素子列の方向に並設される液体吐出ヘッド。
【請求項１７】
前記エネルギー発生素子は、液体を吐出するために利用されるエネルギーを発生し、
前記エネルギー発生素子を内部に備える圧力室を備え、前記圧力室の中の液体は当該圧力室の外部との間で循環される、請求項１６に記載の液体吐出ヘッド。
【請求項１８】
請求項１６または１７に記載の液体吐出ヘッドを備え、前記エネルギー発生素子を駆動して液体を吐出する液体吐出装置。
【手続補正２】
【補正対象書類名】明細書
【補正対象項目名】０００５
【補正方法】変更
【補正の内容】
【０００５】
本発明による記録素子基板は、基板と、前記基板の上に並設されて素子列を形成する複数のエネルギー発生素子と、前記素子列に沿って並設されて開口列を形成し、前記エネルギー発生素子に液体を流れさせる複数の開口と、前記複数の開口から前記基板の厚み方向に延びる複数の流路と、を有する記録素子基板であって、前記開口列の方向において隣接する前記流路に挟まれた梁部のそれぞれは、前記エネルギー発生素子に接続された電源配線を含む配線層と、前記エネルギー発生素子に接続されたグランド配線を含む配線層とが、前記基板の厚み方向に積層された複数の配線層を有し、前記複数の配線層のうちの少なくとも１つの前記配線層は、１つの前記電源配線または１つの前記グランド配線で占有され、前記梁部のそれぞれが有する前記電源配線と電気的に接続され、前記素子列に対して共通に電気的に接続される第１の電極パッドと、前記梁部のそれぞれが有する前記グランド配線と電気的に接続され、前記素子列に対して共通に電気的に接続される第２の電極パッドと、を有する。
また、本発明による液体吐出ヘッドは、複数の上記記録素子基板が素子列の方向に並設される。
また、本発明による液体吐出装置は、上記液体吐出ヘッドを備え、エネルギー発生素子を駆動して液体を吐出する。
【手続補正書】
【提出日】令和1年5月7日(2019.5.7)
【手続補正１】
【補正対象書類名】特許請求の範囲
【補正対象項目名】全文
【補正方法】変更
【補正の内容】
【特許請求の範囲】
【請求項１】
物品を使用したゲームプレイが可能なゲーム装置であって、
ゲームプレイにつき、第１の物品、及び前記第１の物品とは異なる態様で構成され、前記ゲーム装置とは異なるゲーム装置において生成された第２の物品から、物品に対応付けられたゲーム要素を特定する情報を含む物品情報を取得可能に構成された取得手段と、
前記取得手段により取得された物品情報に基づき、前記第１の物品を生成する生成手段と、
前記取得手段により取得された物品情報に基づき、前記異なるゲーム装置で実行される第２のゲームに登場するゲーム要素と共通のゲーム要素が登場し得る第１のゲームであって、該物品情報により特定されるゲーム要素を登場させた第１のゲームを実行する実行手段と、
前記生成手段により物品情報に基づく前記第１の物品が生成された前記第２の物品を、生成済み物品として記録する記録手段と、
前記生成手段による物品の生成を制御する制御手段と、
を備え、
前記実行手段は、前記第２の物品から物品情報が取得された場合に、該第２の物品に対応付けられたゲーム要素に、前記第１のゲームにおいて同一のゲーム要素について前記第１のゲームの進行制御用に定められた進行情報とは異なる進行情報を割り当てて、前記第１のゲームを実行し、
前記生成済み物品として既に記録されている前記第２の物品の物品情報が、前記取得手段により取得された場合に、
前記実行手段は、該物品情報に基づく前記第１のゲームを実行するが、
前記制御手段は、該物品情報に基づく前記第１の物品を前記生成手段に生成させないゲーム装置。
【請求項２】
前記第２の物品から物品情報が取得された場合に、前記実行手段により該第２の物品に対応付けられたゲーム要素に割り当てられる前記進行情報は、前記第１のゲームにおいて同一のゲーム要素について定められた前記進行情報よりも、前記第１のゲームを有利に進行せしめる状態の情報である請求項１に記載のゲーム装置。
【請求項３】
前記第１の物品から取得される物品情報及び前記第２の物品から取得される物品情報には、物品に対応付けられたゲーム要素について定められたゲーム上のランクを特定する情報が含まれ、
前記ゲーム上のランクには、設定可能な数値幅が定められ、前記第１の物品の物品情報により特定されるランクの最大値は、前記第２の物品の物品情報により特定されるランクの最大値よりも大きい値が設定され、
前記制御手段は、前記生成済み物品として記録されていない前記第２の物品の物品情報が、前記取得手段により取得された場合に、前記異なるゲーム装置において該物品情報により特定されるゲーム要素と同一のゲーム要素を、前記第１のゲームにおいて特定する情報を含む物品情報を付した前記第１の物品を前記生成手段に生成させる
請求項１または２に記載のゲーム装置。
【請求項４】
前記制御手段は、前記生成済み物品として記録されていない前記第２の物品の物品情報が、前記取得手段により取得された場合に、該物品情報と異なるランクを定めたゲーム要素に対応する前記第１の物品を、前記生成手段に生成させる請求項３に記載のゲーム装置。
【請求項５】
前記ゲーム上のランクは、ゲームの進行の優位性を定めるものであり、
前記異なるランクは、前記第２の物品から取得された物品情報により特定されるランクよりも、ゲームの進行を不利にするランクである
請求項４に記載のゲーム装置。
【請求項６】
前記ゲーム上のランクは、ゲームの進行の優位性を定めるものであり、
前記制御手段は、同一のゲーム要素を特定する物品情報が前記生成済み物品として記録されていない複数の前記第２の物品から取得された場合に、該物品情報により特定されるゲーム要素であって、該物品情報のいずれかにより特定されるランクよりもゲームの進行を有利にするランクを定めたゲーム要素に対応する前記第１の物品を前記生成手段に生成させる
請求項３乃至５のいずれか１項に記載のゲーム装置。
【請求項７】
コンピュータを、請求項１乃至６のいずれか１項に記載のゲーム装置の各手段として機能させるためのプログラム。
【手続補正２】
【補正対象書類名】明細書
【補正対象項目名】００１０
【補正方法】変更
【補正の内容】
【００１０】
本発明のゲーム装置は、物品を使用したゲームプレイが可能なゲーム装置であって、ゲームプレイにつき、第１の物品、及び第１の物品とは異なる態様で構成され、ゲーム装置とは異なるゲーム装置において生成された第２の物品から、物品に対応付けられたゲーム要素を特定する情報を含む物品情報を取得可能に構成された取得手段と、取得手段により取得された物品情報に基づき、第１の物品を生成する生成手段と、取得手段により取得された物品情報に基づき、異なるゲーム装置で実行される第２のゲームに登場するゲーム要素と共通のゲーム要素が登場し得る第１のゲームであって、該物品情報により特定されるゲーム要素を登場させた第１のゲームを実行する実行手段と、生成手段により物品情報に基づく第１の物品が生成された第２の物品を、生成済み物品として記録する記録手段と、生成手段よる物品の生成を制御する制御手段と、を備え、実行手段は、第２の物品から物品情報が取得された場合に、該第２の物品に対応付けられたゲーム要素に、第１のゲームにおいて同一のゲーム要素について第１のゲームの進行制御用に定められた進行情報とは異なる進行情報を割り当てて、第１のゲームを実行し、生成済み物品として既に記録されている第２の物品の物品情報が、取得手段により取得された場合に、実行手段は、該物品情報に基づく第１のゲームを実行するが、制御手段は、該物品情報に基づく第１の物品を生成手段に生成させない。
【手続補正書】
【提出日】平成31年4月12日(2019.4.12)
【手続補正１】
【補正対象書類名】特許請求の範囲
【補正対象項目名】全文
【補正方法】変更
【補正の内容】
【特許請求の範囲】
【請求項１】
外周面に複数種類の図柄が配列されている複数のリールと、
複数種類の役の当否を決定する内部抽選を行う内部抽選手段と、
前記複数のリールを遊技毎に回転させ、停止操作を契機として、内部抽選の結果に応じた態様で回転中のリールを停止させる制御を行うリール制御手段と、
前記複数のリールが停止した状態で、役毎に予め定められた入賞形態を示す図柄組合せが有効ライン上に表示されていることに基づいて、役が入賞したと判定する入賞判定手段と、
通常区間と有利区間とを設定可能であって、通常区間において内部抽選で所定の抽選結果を得た場合に特定抽選を行い、特定抽選に当選したことに基づいて有利区間を開始させ、有利区間においてクリアカウンタの値を更新するとともに所定条件下で特典遊技を行わせ、クリアカウンタの値が所定値に達したことに基づいて有利区間を終了させて所定の初期化処理を実行して通常区間に復帰させる特典付与手段と、
前記特典遊技において所定の役の入賞を補助する入賞補助演出を演出装置に実行させる制御を行う演出制御手段と、を備え、
前記有利区間である場合に限って前記特典遊技を行わせるようにした遊技機であって、
前記特典付与手段が、
前記通常区間における前記特定抽選については当選確率を所定確率で一定とし、前記特定抽選の実行契機となった内部抽選の抽選結果に応じて前記有利区間で行われる遊技の有利度合いを変化させることを特徴とする遊技機。
【手続補正書】
【提出日】平成30年12月27日(2018.12.27)
【手続補正１】
【補正対象書類名】特許請求の範囲
【補正対象項目名】全文
【補正方法】変更
【補正の内容】
【特許請求の範囲】
【請求項１】
先端側に導管部が形成されるとともに後端側は開口するように形成された筒状のシリンダ部材と、前記シリンダ部材に挿入されるピストン部材と、
を備え薬液が充填される医療用シリンジであって、
前記シリンダ部材の後端部にはフランジが設けられ、
前記フランジは、
その外周部に形成された切欠き部と、
シリンダ部材の開口を囲むように当該フランジの後面に形成されたリング状突起部と、
を有している、医療用シリンジ。
【請求項２】
前記フランジは、平行な直線部を両側に有する輪郭形状である、請求項１に記載の医療用シリンジ。
【請求項３】
前記フランジの後面には、さらに、前記リング状突起部から外側に向かって延びるリブが形成されている、請求項１または２に記載の医療用シリンジ。
【請求項４】
前記直線部がフランジの左右両側となるような姿勢で見て、１つの前記直線部の付近に、複数の前記リブが上下方向に並ぶように形成されている、請求項３に記載の医療用シリンジ。
【請求項５】
前記直線部の付近に上下方向に並ぶように形成された前記複数のリブが、最上部のリブと最下部のリブとの２つである、請求項４に記載の医療用シリンジ。
【請求項６】
前記医療用シリンジはシリンジ内に予め薬液が充填されたプレフィルドタイプのシリンジである、請求項１〜５のいずれか一項に記載の医療用シリンジ。
【請求項７】
前記薬液は、造影剤または生理食塩水である、請求項６に記載の医療用シリンジ。
【請求項８】
さらに、データ保持手段を備える、請求項１〜７のいずれか一項に記載の医療用シリンジ。
【請求項９】
前記データ保持手段は、ＩＣタグまたはバーコードである、請求項８に記載の医療用シリンジ。
【請求項１０】
請求項１〜９のいずれかに記載の医療用シリンジと、
前記医療用シリンジが装着される注入ヘッドおよびそれに接続されたコンソールを有する薬液注入装置と、
を備える薬液注入システム。
【請求項１１】
前記医療用シリンジは、前記フランジを保持するシリンジアダプタを介して前記注入ヘッドに装着される、請求項１０に記載の薬液注入システム。
【請求項１２】
前記注入ヘッドは、シリンジが２本装着される二筒式の注入ヘッドである、請求項１０または１１に記載の薬液注入システム。
【手続補正書】
【提出日】平成30年11月20日(2018.11.20)
【手続補正１】
【補正対象書類名】明細書
【補正対象項目名】０００８
【補正方法】変更
【補正の内容】
【０００８】
上記の目的を達成するために、本発明の一実施形態に係る撮像装置は、撮像部と、表面
に所定の配線パターンが形成された基板と、基板の表面に、配線パターンと電気的に接続された状態で実装され、撮像部の撮像方向に向かって照明光を照射するための発光素子と、基板の、発光素子の実装面側に配置され、基板の発熱を放散するヒートシンクと、を備えている。そして、ヒートシンクは、伝熱面が基板の表面に対向するように伝熱可能に取り付けられかつ発光素子の照明光を透過可能なベース部と、放熱面に互いに間隔をあけた状態で一体に突設され、空気により冷却される複数のフィンとを有していることを特徴とする。さらに、ヒートシンクの放熱面には、発光素子の照明光を透過可能なカバー部材が複数のフィンを覆うように設けられており、カバー部材は、ヒートシンクの放熱面側に複数のフィンと間隔をあけた位置に配置された前面部と、前面部の周縁から後方に延びる周壁部と、を有し、カバー部材の周壁部には、ヒートシンクとカバー部材との間の空間を外部に連通する複数の開口部が互いに間隔をあけて開口されている。
【手続補正２】
【補正対象書類名】特許請求の範囲
【補正対象項目名】全文
【補正方法】変更
【補正の内容】
【特許請求の範囲】
【請求項１】
撮像部を備えた撮像装置であって、
表面に所定の配線パターンが形成された基板と、
前記基板の表面に、前記配線パターンと電気的に接続された状態で実装され、前記撮像部の撮像方向に向かって照明光を照射するための発光素子と、
前記基板の、前記発光素子の実装面側に配置され、前記基板の発熱を放散するヒートシンクと、を備え、
前記ヒートシンクは、伝熱面が前記基板の表面に対向するように伝熱可能に取り付けられかつ前記発光素子の照明光を透過可能なベース部と、放熱面に互いに間隔をあけた状態で一体に突設され、空気により冷却される複数のフィンとを有しており、
前記ヒートシンクの前記放熱面には、前記発光素子の照明光を透過可能なカバー部材が前記複数のフィンを覆うように設けられており、
前記カバー部材は、前記ヒートシンクの前記放熱面側に前記複数のフィンと間隔をあけた位置に配置された前面部と、前記前面部の周縁から後方に延びる周壁部と、を有し、
前記カバー部材の前記周壁部には、前記ヒートシンクと前記カバー部材との間の空間を外部に連通する複数の開口部が互いに間隔をあけて開口されている、撮像装置。
【請求項２】
請求項１に記載の撮像装置において、
前記複数の開口部は、前記各フィンの両端部にそれぞれ対向する位置に配置された一対の第１開口部を有し、
前記第１開口部における一方の開口部は、前記ヒートシンクと前記カバー部材との間に前記フィンにより自然対流する空気を流入させる流入口となり、他方の開口部は、前記ヒートシンクと前記カバー部材との間から前記自然対流による空気を流出させる流出口となる、撮像装置。
【請求項３】
請求項２に記載の撮像装置において、
前記各第１開口部は、その開口領域が前記各フィンの両端部に対向する位置の周辺部分を含むように開口している、撮像装置。
【請求項４】
請求項１〜３のいずれか１項に記載の撮像装置において、
前記開口部は、前記ヒートシンクと前記カバー部材との間に前記フィンにより自然対流する空気を流入させる流入側に設けられた第２開口部を有し、
前記第２開口部は、前記各フィンの両端部に対向しないように配置されている、撮像装置。
【請求項５】
請求項１〜４のいずれか１項に記載の撮像装置において、
前記基板の配線パターンは、前記基板の表面に沿って面状に広がるように形成された面状パターンを有している、撮像装置。
【請求項６】
請求項１〜５のいずれか１項に記載の撮像装置において、
前記基板の表面と前記ヒートシンクの前記伝熱面との間には薄膜状の熱伝導部が介在されている、撮像装置。
【請求項７】
請求項１〜６のいずれか１項に記載の撮像装置において、
前記各フィンは略角柱状に形成されていて、前記各フィンにおける底面と側面とが隣り合う辺および／または側面同士が隣り合う辺の角部には面取り部が形成されている、撮像装置。
【請求項８】
請求項１〜７のいずれか１項に記載の撮像装置において、
前記ヒートシンクは、放熱する際に、前記各フィンにより空気が重力方向と反対方向に沿って自然対流するように配置されている、撮像装置。
【手続補正書】
【提出日】平成31年3月18日(2019.3.18)
【手続補正１】
【補正対象書類名】特許請求の範囲
【補正対象項目名】全文
【補正方法】変更
【補正の内容】
【特許請求の範囲】
【請求項１】
空調ダクト（１０）内を流れる空気を車室内に吹き出すことにより、車室内の空調を行う車両用空調装置（１）であって、
前記空調ダクト内を流れる空気に含まれる粉じんを捕集するフィルタ（１７）と、
前記空調ダクト内を流れる空気の粉じん濃度を検出する粉じんセンサ（７０）と、
前記粉じんセンサにより検出される粉じん濃度に基づいて、前記フィルタの捕集能力が低下しているか否かを判定する判定部（８０）と、を備え、
前記判定部は、
前記粉じんセンサにより検出される粉じん濃度に対して設定される第１閾値濃度と、前記第１閾値濃度よりも小さい第２閾値濃度とを有し、
前記粉じんセンサにより検出される粉じん濃度が前記第１閾値濃度から前記第２閾値濃度に低下するまでに要する経過時間に基づいて前記フィルタの捕集能力が低下しているか否かを判定するとともに、
前記空調ダクト内の空気を送風するブロワ装置（２１）の送風量が増加するほど、前記第１閾値濃度及び前記第２閾値濃度を小さくする
車両用空調装置。
【請求項２】
空調ダクト（１０）内を流れる空気を車室内に吹き出すことにより、車室内の空調を行う車両用空調装置（１）であって、
前記空調ダクト内を流れる空気に含まれる粉じんを捕集するフィルタ（１７）と、
前記空調ダクト内を流れる空気の粉じん濃度を検出する粉じんセンサ（７０）と、
前記粉じんセンサにより検出される粉じん濃度に基づいて、前記フィルタの捕集能力が低下しているか否かを判定する判定部（８０）と、を備え、
前記判定部は、
前記フィルタの捕集能力が低下しているか否かを判定している際に、車室内の粉じん濃度が増加する所定の車両操作が行われたか否かを監視し、
前記所定の車両操作が車両に対して行われたことを検出した場合には、前記フィルタの捕集能力が低下しているか否かの判定を中止する
車両用空調装置。
【請求項３】
前記フィルタの捕集能力の低下が検出された際に前記フィルタの交換を促す報知を行う報知部（６１）を更に備える
請求項１又は２に記載の車両用空調装置。
【手続補正２】
【補正対象書類名】明細書
【補正対象項目名】０００６
【補正方法】変更
【補正の内容】
【０００６】
上記課題を解決する車両用空調装置（１）は、空調ダクト（１０）内を流れる空気を車室内に吹き出すことにより、車室内の空調を行う。車両用空調装置は、フィルタ（１７）と、粉じんセンサ（７０）と、判定部（８０）と、を備える。フィルタは、空調ダクト内を流れる空気に含まれる粉じんを捕集する。粉じんセンサは、空調ダクト内を流れる空気の粉じん濃度を検出する。判定部（８０）は、粉じんセンサにより検出される粉じん濃度に基づいて、フィルタの捕集能力が低下しているか否かを判定する。判定部は、粉じんセンサにより検出される粉じん濃度に対して設定される第１閾値濃度と、第１閾値濃度よりも小さい第２閾値濃度とを有し、粉じんセンサにより検出される粉じん濃度が第１閾値濃度から第２閾値濃度に低下するまでに要する経過時間に基づいてフィルタの捕集能力が低下しているか否かを判定するとともに、空調ダクト内の空気を送風するブロワ装置（２１）の送風量が増加するほど、第１閾値濃度及び第２閾値濃度を小さくする。
また、上記課題を解決する他の車両用空調装置（１）では、判定部が、フィルタの捕集能力が低下しているか否かを判定している際に、車室内の粉じん濃度が増加する所定の車両操作が行われたか否かを監視し、所定の車両操作が車両に対して行われたことを検出した場合には、フィルタの捕集能力が低下しているか否かの判定を中止する。
【手続補正書】
【提出日】令和1年10月18日(2019.10.18)
【手続補正１】
【補正対象書類名】特許請求の範囲
【補正対象項目名】全文
【補正方法】変更
【補正の内容】
【特許請求の範囲】
【請求項１】
搬送される媒体にインクを吐出するインクジェットヘッドと、
前記媒体が載置される載置面、及び前記載置面に開口する吸引孔を有する吸引プラテンと、
前記吸引孔に負圧を発生させる吸引ユニットとを備え、
前記吸引孔は、前記媒体の搬送方向と交差する幅方向の長さが、前記載置面における前記幅方向の長さより短い最小開口部を含む形状であり、
前記最小開口部における前記吸引孔の前記幅方向の中心位置は、前記載置面における前記幅方向の中心位置よりも、前記幅方向の一方側に位置する印刷装置。
【請求項２】
前記吸引孔である第１の吸引孔と、第２の吸引孔を有し、
前記第１の吸引孔及び前記第２の吸引孔は、前記幅方向に間隔を空けて設けられている請求項１に記載の印刷装置。
【請求項３】
前記第１の吸引孔は、前記幅方向において、前記第２の吸引孔よりも他方側に設けられ、
前記第１の吸引孔を閉塞するシャッターを有する請求項２に記載の印刷装置。
【請求項４】
前記媒体の搬送方向に延伸し、搬送される前記媒体における前記幅方向の一方側の端部に接触するガイドを有する請求項１から３のいずれか一項に記載の印刷装置。
【請求項５】
前記媒体の搬送方向に延伸し、搬送される前記媒体における前記幅方向の一方側の端に接触する固定ガイドと、
前記媒体の搬送方向に延伸し、搬送される前記媒体における前記幅方向の他方側の端に接触し、前記幅方向に移動可能な可動ガイドと、を有する請求項１から３のいずれか一項に記載の印刷装置。
【請求項６】
前記インクジェットヘッドがメンテナンスされる位置は、前記幅方向において、搬送される前記媒体より前記一方側に位置する、請求項１から５のいずれか一項に記載の印刷装置。
【請求項７】
前記第２の吸引孔は、前記第１の吸引孔よりも前記一方側に位置し、かつ前記媒体の搬送方向と交差する幅方向の長さが、前記載置面より短い最小開口部を含む形状であり、
前記最小開口部における前記第２の吸引孔の前記幅方向の中心位置は、前記載置面における前記幅方向の中心位置よりも、前記幅方向の他方側に位置する請求項２に記載の印刷装置。
【請求項８】
搬送される媒体が載置される載置面、及び前記載置面に開口する吸引孔を有する吸引プラテンと、
前記吸引孔に負圧を発生させる吸引ユニットとを備え、
前記吸引孔は、前記媒体の搬送方向と交差する幅方向の長さが、前記載置面における前記幅方向の長さより短い最小開口部を含む形状であり、
前記最小開口部における前記吸引孔の前記幅方向の中心位置は、前記載置面における前記幅方向の中心位置よりも、前記幅方向の一方側に位置するプラテンユニット。
【手続補正２】
【補正対象書類名】明細書
【補正対象項目名】発明の名称
【補正方法】変更
【補正の内容】
【発明の名称】印刷装置、及びプラテンユニット
【手続補正３】
【補正対象書類名】明細書
【補正対象項目名】０００１
【補正方法】変更
【補正の内容】
【０００１】
本発明は、印刷装置、及びプラテンユニットに関する。
【手続補正４】
【補正対象書類名】明細書
【補正対象項目名】００４４
【補正方法】変更
【補正の内容】
【００４４】
詳述すると、吸引孔５１は、載置面３１Ａにおける開口縁を含む第１開口部５２と、載置面３１Ａから離間し、第１開口部５２に連通する最小開口部を含む第２開口部５３とを有する。第１開口部５２の幅方向Ｘの長さＷＡは、第２開口部５３の連続用紙Ｓの幅方向Ｘの長さＷＢよりも長い。
吸引プラテン３１においては、吸引プラテン３１の耐久性のために、吸引孔５１の数が制限されることがある。これによれば、吸引孔５１が連続用紙Ｓを吸引する範囲が効率良く拡げられる。従って、連続用紙Ｓの吸引に必要な吸引面積を確保し易くなり、吸引力が向上する。また、吸引孔５１の吸引範囲が効率良く拡げられるので、吸引面積が十分に確保されたまま、隣接する吸引孔５１の離間距離が拡げられるため、製造が容易化する。
なお、本実施形態における第１開口部５２、及び第２開口部５３の開口形状は円形状であるが、他の形状であってもよい。
また、本構成では、第１及び第２開口部５２、５３は、鋼板に対して打ち抜き加工等が施されて製作される。但し、打ち抜き加工以外の加工により製作されてもよい。
【手続補正書】
【提出日】平成31年1月31日(2019.1.31)
【手続補正１】
【補正対象書類名】特許請求の範囲
【補正対象項目名】全文
【補正方法】変更
【補正の内容】
【特許請求の範囲】
【請求項１】
情報処理装置であって、
ゲーム画像およびゲーム音声を生成するゲーム実行部と、
当該情報処理装置とは別の端末装置から、通知情報を受信する通知受信部と、
受信した通知情報を、前記ゲーム実行部に提供する提供部と、を備え、
前記ゲーム実行部は、ゲーム中のオブジェクトから通知情報を出力させる、
ことを特徴とする情報処理装置。
【請求項２】
前記ゲーム実行部は、通知情報の種類に応じて、通知情報を出力するタイミングを決定する、
ことを特徴とする請求項１に記載の情報処理装置。
【請求項３】
ゲームから、通知情報を出力することに対応していることの宣言を受け付ける宣言受付部を、さらに備え、
前記宣言受付部が、ゲームから通知情報を出力することに対応していることの宣言を受け付けた場合に、前記提供部は、受信した通知情報を前記ゲーム実行部に提供する、
ことを特徴とする請求項１または２に記載の情報処理装置。
【請求項４】
前記宣言受付部が、ゲームから前記宣言を受け付けていない場合に、前記提供部は、受信した通知情報をゲーム画像またはゲーム音声に重畳させる重畳処理部に提供する、
ことを特徴とする請求項３に記載の情報処理装置。
【請求項５】
端末装置にコマンドを送信する応答処理部を、さらに備える、
ことを特徴とする請求項１から４のいずれかに記載の情報処理装置。
【請求項６】
前記ゲーム実行部は、ヘッドマウントディスプレイに表示されるゲーム画像を生成する、
ことを特徴とする請求項１から５のいずれかに記載の情報処理装置。
【請求項７】
ゲーム画像およびゲーム音声を生成するステップと、
端末装置から、通知情報を受信するステップと、
受信した通知情報を、ゲームに提供するステップと、を備え、
ゲームは、ゲーム中のオブジェクトから通知情報を出力する、
ことを特徴とするゲーム画音生成方法。
【請求項８】
コンピュータに、
ゲーム画像およびゲーム音声を生成する機能と、
端末装置から受信した通知情報を、ゲーム中のオブジェクトから出力する機能と、
を実現させるためのゲームプログラム。
【手続補正書】
【提出日】平成30年12月6日(2018.12.6)
【手続補正１】
【補正対象書類名】特許請求の範囲
【補正対象項目名】全文
【補正方法】変更
【補正の内容】
【特許請求の範囲】
【請求項１】
ステンレス鋼からなるステンレス鋼コアシャフトと、
前記ステンレス鋼コアシャフトの外周を覆うタングステンからなるタングステンコイル体と、
前記ステンレス鋼コアシャフトの先端部と前記タングステンコイル体の先端部とを接合する先端接合部と、
を備えたガイドワイヤであって、
前記先端接合部の全体は、錫−亜鉛系はんだから形成されていることを特徴とするガイドワイヤ。
【請求項２】
前記ステンレス鋼コアシャフトの基端部と前記タングステンコイル体の基端部とを接合する基端接合部を更に備え、
前記基端接合部の全体は、錫−亜鉛系はんだから形成されていることを特徴とする請求項１に記載のガイドワイヤ。
【請求項３】
前記基端接合部を形成する錫−亜鉛系はんだは、錫が９１重量％、亜鉛が９重量％の錫−亜鉛系はんだであることを特徴とする請求項２に記載のガイドワイヤ。
【請求項４】
前記先端接合部と前記基端接合部との間で、前記ステンレス鋼コアシャフトと前記タングステンコイル体とを接合する中間接合部を更に備え、
前記中間接合部の全体は、錫−亜鉛系はんだから形成されていることを特徴とする請求項１乃至３のうちの何れか１項に記載のガイドワイヤ。
【請求項５】
前記中間接合部を形成する錫−亜鉛系はんだは、錫が９１重量％、亜鉛が９重量％の錫−亜鉛系はんだであることを特徴とする請求項４に記載のガイドワイヤ。